(57)【要約】【課題】  エレベータの操作盤の操作位置を低くしたことに伴い、幼児による悪戯を受け易くなり、乗りかごが不用意に停止する等の不都合が生じる恐れがある。【解決手段】  乗りかご１内には車椅子利用者のための補助操作盤３が設けられている。この補助操作盤３には、乗りかご１を駆動制御する制御盤６に対して停止階を登録するための登録スイッチ３ａが設けられている。その上方には、登録スイッチ３ａを介して入力された情報の制御盤６への伝達を遮断する操作無効スイッチ４が設けられている。【選択図】      図１
2005247456.tif 000002
【特許請求の範囲】
【請求項１】
乗りかごを駆動制御する制御盤と、この制御盤に対して停止階や乗場呼び等を登録するための登録操作部を備えた操作盤と、前記登録操作部を介して入力された情報の前記制御盤への伝達を遮断する遮断操作部と、を備えたことを特徴とするエレベータ。
【請求項２】
乗りかごを駆動制御する制御盤と、この制御盤に対して停止階や乗場呼び等を登録するための登録操作部を備えた操作盤と、前記登録操作部を介して登録された情報をキャンセルするキャンセル操作部と、を備えたことを特徴とするエレベータ。
【請求項３】
前記遮断操作部又は前記キャンセル操作部が床面から１４０ｃｍ以上の位置に配置されたことを特徴とする請求項１又は請求項２記載のエレベータ。
【請求項４】
前記登録操作部が操作された場合で且つ前記遮断操作部又は前記キャンセル操作部が操作された場合には、乗客に対して前記登録操作部が操作されたことを報知する報知手段を備えたことを特徴とする請求項１〜請求項３のいずれか一項記載のエレベータ。
【請求項５】
前記操作盤は、車椅子利用者のための補助操作盤であることを特徴とする請求項１〜請求項４のいずれか一項記載のエレベータ。
【発明の詳細な説明】
【技術分野】
【０００１】
本発明は、幼児による操作盤への悪戯に対する対策を施したエレベータに関する。
【背景技術】
【０００２】
エレベータに設置される操作盤としては、出入口の横に設置される主操作盤が一般的に知られているが、昨今のユニバーサルデザイン思想に伴い、車椅子利用者も操作盤を操作可能なように、操作位置を低く設定した補助操作盤が併用される場合も多くなってきている。
【０００３】
しかしながら、操作盤の位置を低くしたことに伴い、幼児による悪戯を受ける頻度が高くなり、悪戯により乗場呼びや停止階等が制御盤に登録されて、乗りかごを不用意に停止させてしまう等の不都合が発生するという問題点がある。
【発明の開示】
【発明が解決しようとする課題】
【０００４】
解決しようとする問題点は、エレベータの操作盤の操作位置を低くしたことに伴い、幼児による悪戯を受け易くなり、乗りかごが不用意に停止する等の不都合が生じる恐れがある点である。
【課題を解決するための手段】
【０００５】
上記問題点を解決するために、本発明に係るエレベータは、乗りかごを駆動制御する制御盤と、この制御盤に対して停止階や乗場呼び等を登録するための登録操作部を備えた操作盤と、前記登録操作部を介して入力された情報の前記制御盤への伝達を遮断する遮断操作部と、を備えたことを特徴としている。
【０００６】
また、本発明に係る他のエレベータは、乗りかごを駆動制御する制御盤と、この制御盤に対して停止階や乗場呼び等を登録するための登録操作部を備えた操作盤と、前記登録操作部を介して登録された情報をキャンセルするキャンセル操作部と、を備えたことを特徴としている。
【発明の効果】
【０００７】
本発明のエレベータによれば、幼児が操作盤の登録操作部を悪戯で操作した場合であっても、保護者が遮断操作部又はキャンセル操作部を操作することにより、入力情報の制御盤への伝達が遮断されるか又は登録情報がキャンセルされるため、乗りかごが不用意に停止する等の不都合を防止することができる。
【発明を実施するための最良の形態】
【０００８】
以下、本発明の一実施形態を図面に基づいて説明する。図１は本発明の一実施形態であるエレベータの乗りかごの断面図、図２、図３は第１の実施形態の補助操作盤と制御盤の間に設けられた電気回路を模式的に示す図である。
【０００９】
図１において、１は乗りかご、２は出入口横に設置された主操作盤、３は車椅子利用者用の補助操作盤である。主操作盤２及び補助操作盤３には、乗客が停止階を登録するための登録ボタン（登録操作部）２ａ、３ａが設けられている。
【００１０】
補助操作盤３の上方には、操作無効スイッチ（遮断操作部）４、登録キャンセルスイッチ（キャンセル操作部）５が設けられている。これらのスイッチ４、５は、幼児の手が届き難い位置（例えば床面から１４０ｃｍ以上）に配置されている。
【００１１】
図２に示すように、操作無効スイッチ４は、乗りかご１を駆動する駆動装置を制御する制御盤６と補助操作盤３とを接続する配線７の途中に設けられており、操作無効スイッチ４を押圧操作することにより、配線７が遮断されるようになっている。
【００１２】
図３に示すように、登録キャンセルスイッチ５は、制御盤６と補助操作盤３とを接続する配線９の途中に設けられており、登録キャンセルスイッチ５を押圧操作することにより、登録ボタン３ａを介して制御盤６の記憶装置８に登録された登録情報がキャンセルされるようになっている。
【００１３】
このような構成によれば、幼児Ｃが補助操作盤３の登録ボタン３ａを操作しようとしたとき、保護者Ｐが操作無効スイッチ４を押し続けることによって配線７が遮断され、登録ボタン３ａを介して入力された情報Ｓが制御盤６に伝達されないので、停止階の登録が行われることがない。
【００１４】
また、幼児Ｃが登録ボタン３ａを操作して既に停止階が登録された場合には、保護者Ｐが登録キャンセルスイッチ５をを押すことにより、記憶装置８に登録された情報をキャンセルする信号Ｓ’が送信されて登録情報がキャンセルされる。
【００１５】
したがって、乗りかご１が不用意に停止するのを防止することができるものである。
【００１６】
次に、本発明の第２の実施形態を説明する。図４は第２の実施形態の補助操作盤と制御盤の間に設けられた電気回路を模式的に示す図、図５は第２の実施形態の補助操作盤とその周辺の正面図である。なお、本実施形態において、第１の実施形態と同一又は類似の部分には同一の符号を用いており、重複する説明は省略してある。
【００１７】
本実施形態では、各登録ボタン３ａの押圧部が透光性を有する部材で形成され、その裏側にランプ（図示せず）が設けられている。そして、図４に示すように、配線７から分岐する配線１０が制御盤６の点灯信号出力装置１１（報知手段）に接続されており、操作無効スイッチ４を操作すると、押圧された登録ボタン３ａの光源に点灯信号出力装置１１から点灯信号ＬＳが供給され、その光源が点灯するようになっている。
【００１８】
また、補助操作盤３にはアナウンス装置（図示せず）が設けられており、点灯信号ＬＳが補助操作盤３に供給されると、このアナウンス装置が作動し、図５に示すスピーカ３ｂ（報知手段）から警告アナウンス（例えば、押しちゃ駄目だよー）が発するようになっている。
【００１９】
このような構成によれば、幼児が登録ボタン３ａを押した際、保護者が操作無効スイッチ４を押すと、配線７が遮断されて登録ボタン３ａの入力情報が制御盤６に伝達されないと共に、押圧された登録ボタン３ａの光源に点灯信号出力装置１１から点灯信号ＬＳが供給されて該登録ボタン３ａが点灯し、スピーカ３ｂが警告アナウンスを発する。
【００２０】
このように、幼児が悪戯で登録ボタン３ａを押圧した際に、入力信号は制御盤６に伝達されないものの、押圧されたことを光で報知したり、警告アナウンスを発する等の応答が行われるようにしたことで、幼児は機械に無視されたような感じを持つことがなく、気分を害することがない。
【００２１】
なお、登録ボタン３ａが押圧されたことを報知する手段としては、登録ボタン３ａの点灯や警告アナウンスに限られるものではない。
【００２２】
また、このような報知手段は、登録キャンセルスイッチ５を押したときにも作動するようにしてもよい。
【００２３】
また、乗場操作盤に操作無効スイッチ４や登録キャンセルスイッチ５を設けるようにしてもよい。
【００２４】
なお、本発明は、複数の乗りかごを有するエレベータにも適用することができる。
【００２５】
その他にも、本発明の要旨を逸脱しない範囲で上記実施形態に種々の改変を施すことができる。
【図面の簡単な説明】
【００２６】
【図１】本発明の一実施形態であるエレベータの乗りかごの断面図。
【図２】第１の実施形態の補助操作盤と制御盤の間に設けられた電気回路を模式的に示す図。
【図３】第１の実施形態の補助操作盤と制御盤の間に設けられた電気回路を模式的に示す図。
【図４】第２の実施形態の補助操作盤と制御盤の間に設けられた電気回路を模式的に示す図。
【図５】第２の実施形態の補助操作盤とその周辺の正面図。
【符号の説明】
【００２７】
１    乗りかご
２    主操作盤
３    補助操作盤
３ａ  登録スイッチ（登録操作部）
３ｂ  スピーカ（報知手段）
４    操作無効スイッチ（遮断操作部）
５    登録キャンセルスイッチ（キャンセル操作部）
６    制御盤
１１    点灯信号出力装置（報知手段）
【図１】
2005247456.tif 000003
【図２】
2005247456.tif 000004
【図３】
2005247456.tif 000005
【図４】
2005247456.tif 000006
【図５】
2005247456.tif 000007